(57)【特許請求の範囲】
【請求項１】
複数の電池セルが組み合わされて形成された組電池（１）と、
該組電池（１）を内部に収容する金属製のケース（３０３）と、
前記ケース（３０３）に一体に成形され外部に突出するパイプ部を持ち前記外部と前記ケース（３０３）の前記内部とを連通する排煙用ダクト（３０７）と、を備え、
前記ケース（３０３）には、前記組電池（１）への蓄電と前記組電池（１）からの放電とを制御する制御部（１０６）が収容され、かつ前記制御部（１０６）から出た熱を前記外部に放出するヒートシンク（３０９）が、前記ケース（３０３）と一体に形成され、
前記排煙用ダクト（３０７）の前記パイプ部は、前記ヒートシンク（３０９）と一体に形成されて前記外部に突出していることを特徴とする電池ユニット。
【請求項２】
前記制御部（１０６）に含まれる電気部品（３０８）が、前記ヒートシンク（３０９）に接しているとともに、前記電気部品（３０８）がコネクタ（３１０）に接続され、前記ヒートシンク（３０９）と前記コネクタ（３１０）とが、前記ケース（３０３）の同じ面に並置されていることを特徴とする請求項１に記載の電池ユニット。
【請求項３】
前記ケース（３０３）内に、前記組電池（１）が収容される第１の部屋（３０３１）と、前記第１の部屋（３０３１）に対してシール状態で前記制御部（１０６）および前記ヒートシンク（３０９）が収容された第２の部屋（３０３２）とを備え、
前記排煙用ダクト（３０７）は、前記第１の部屋（３０３１）から前記第２の部屋（３０３２）を貫いて前記ケース（３０３）の前記外部と前記第１の部屋（３０３１）とを連通していることを特徴とする請求項１または２に記載の電池ユニット。
【請求項４】
前記第１の部屋（３０３１）と前記第２の部屋（３０３２）とは、絶縁性の仕切り壁（３０５、３０６）で分離され、該仕切り壁（３０５、３０６）にインサート成形された複数の端子部材（３０５ａ、３０６ａ）を有し、該端子部材（３０５ａ、３０６ａ）を介して前記第１の部屋（３０３１）と前記第２の部屋（３０３２）とをシール状態のままで電気的に導通させることを特徴とする請求項３に記載の電池ユニット。
【発明の詳細な説明】
【技術分野】
【０００１】
本発明は、電池セルが組み合わされて形成された組電池をケース内に収容してなり、電池セルから発生したガス（煙）を、外部に排出する排煙用ダクトを備えた電池ユニットに関するものである。
【背景技術】
【０００２】
従来、複数の電池セルが組み合わされて形成された組電池を、ケース内に収容してなる電池ユニットが知られている。そして、電池ユニットには、組電池を構成する単電池（電池セル）の不具合により発生した有害なガスが、好ましくない場所に漏れないように、組電池内部と排煙用ダクトとを連通させている。この排煙用ダクトを介してガスを車外等へ排出している。
【先行技術文献】
【特許文献】
【０００３】
【特許文献１】特開２００９−２８９５８３号公報
【発明の概要】
【発明が解決しようとする課題】
【０００４】
排煙用ダクトは、高温に耐えうる材料を使用する必要があり、かつ比較的省スペースな構造が要求される。また、外部に突出する排煙用ダクトは、曲げ応力等を受けやすい。従って、組電池からのガスを排出する排煙用ダクトの配置および構造設計が困難であった。
【０００５】
本願は、排煙用ダクトの配置および構造設計が容易であり、製作し易く、また、排煙用ダクト自体の強度を十分な大きさに設定しやすい電池ユニットを提供することを目的とする。
【０００６】
従来技術として列挙された特許文献の記載内容は、この明細書に記載された技術的要素の説明として、参照によって導入ないし援用することができる。
【課題を解決するための手段】
【０００７】
本発明は上記目的を達成するために、下記の技術的手段を採用する。すなわち、本発明では、複数の電池セルが組み合わされて形成された組電池（１）と、該組電池（１）を内部に収容する金属製のケース（３０３）と、ケース（３０３）に一体に成形され外部に突出するパイプ部を持ち、外部とケース（３０３）の内部とを連通する排煙用ダクト（３０７）と、を備え、ケース（３０３）には、組電池（１）への蓄電と組電池（１）からの放電とを制御する制御部（１０６）が収容され、かつ制御部（１０６）から出た熱を外部に放出するヒートシンク（３０９）が、ケース（３０３）と一体に形成され、排煙用ダクト（３０７）のパイプ部は、ヒートシンク（３０９）と一体に形成されて外部に突出していることを特徴としている。
【０００８】
この発明によれば、組電池から漏れた有害なガスを、組電池を収容するケース内部に一旦導き、パイプ部を持ち外部と前記ケース内部とを連通する排煙用ダクトによって排出させることができるから、組電池自体から組電池内部のガスを安全なルートにて排煙させる場合に比べて、排煙用ダクトが製作しやすい。また、排煙用ダクト自体の強度もケースと一体の金属で形成することで、十分な大きさに設定しやすい。
【０００９】
なお、特許請求の範囲および上記各手段に記載の括弧内の符号ないし説明は、後述する実施形態に記載の具体的手段との対応関係を分かり易く示す一例であり、発明の内容を限定するものではない。
【図面の簡単な説明】
【００１０】
【図１】本発明の一実施形態における扁平型蓄電池を積層し互いに直列に接続した電池ユニットとその周辺の電気回路図である。
【図２】本発明の一実施形態における電池ユニットを示し、組電池をケース内に収納した状態を示す平面図である。
【図３】上記一実施形態における最上層の扁平型蓄電池の平面図である。
【図４】上記一実施形態における最上層に隣接する扁平型蓄電池の平面図である。
【図５】図３と図４の扁平型蓄電池を重ねた状態を示す平面図である。
【図６】上記一実施形態における最下段となる１段目の支持部材の斜視図である。
【図７】上記一実施形態における２段目の支持部材の斜視図である。
【図８】上記一実施形態における３段目の支持部材の斜視図である。
【図９】上記一実施形態における４段目の支持部材の斜視図である。
【図１０】上記一実施形態における１段目から４段目の支持部材内に複数の扁平型特電池を収容した組電池を示す斜視図である。
【図１１】本発明の一実施形態におけるケースの平面図である。
【図１２】図１１の矢印XII方向から見た排煙用ダクトのガス排出孔の形状を示すケース内壁の一部側面図である。
【図１３】図１１の矢印XIII方向から見たケースの側面図である。
【図１４】図１４は、図１１のケースの裏面図である。
【図１５】図１１のケース内の溝部に、仕切り壁を挿入した状態を示す斜視図である。
【図１６】図１５の仕切り壁と一体形成された第１端子部材の斜視図である。
【図１７】図１５の仕切り壁と一体形成された第２端子部材の斜視図である。
【発明を実施するための形態】
【００１１】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。
【００１２】
各実施形態で具体的に組合せが可能であることを明示している部分同士の組合せばかりではなく、特に組合せに支障が生じなければ、明示していなくても実施形態同士を部分的に組合せることも可能である。
【００１３】
（一実施形態）
以下、本発明の一実施形態となる電池ユニットについて図１ないし図１７を用いて詳細に説明する。図１において、電池セルを構成しリチウム電池からなる扁平型蓄電池１ａ、１ｂ、１ｃ、１ｄ（ラミセルまたはラミネートセルとも呼ばれる）は、その厚み方向に積層され、互いに直列に接続されて組電池１を構成している。そして、組電池１は、複数の電池セルと、この電池セルに付属するプラス電極およびマイナス電極と、これらの各電極に接続された導体部と、電池セルを包囲し支持する複数の支持部材とから成る。このように外に出た各電極を除いて電池セルの集合体は、後述する支持部材の集合体内に保持されている。従って、電池セル内部の故障により有害なガスが発生したときは、支持部材相互の隙間等から組電池１の外部にガスが出ることになる。しかし、組電池１を内部に収容する後述する金属製のケースによって、ガスはケース内部にとどまり、更に、後述する排煙用ダクトを介して安全な外部にガスが放出される。
【００１４】
車両を始動するスタータ１０１と、車載バッテリ（鉛電池とも言う）１０２を充電するオルタネータ１０３が設けられている。車載バッテリ１０２の入出力電流は充電制御センサ１０４によって検出される。車載バッテリ１０２から車両の照明灯や点火装置等の一般負荷１０５が給電される。
【００１５】
車両は、ガソリンエンジン等で走行するが、坂道やブレーキ時に、オルタネータ１０３の発電量を増やして電力回生を行う。電池ユニット１００は、車両の電力回生時に、オルタネータ１０３で発電された電力により充電される。
【００１６】
また、車両は、アイドルストップ機構が装備されており、信号待ち等での車両停止時に、エンジンが自動的に停止し、ブレーキを離すとエンジンが再始動する。エンジンが停止している間のオルタネータ１０３の出力がゼロのときは、電池ユニット１００の電力が活用される。
【００１７】
電池ユニット１００は、コントロールユニット（制御部）１０６に接続され、アイドルストップ中において被保護負荷１０７に電源供給を行うものである。被保護負荷１０７は、例えば、ナビゲーションシステム、パワーウインドウ、エンジン制御装置等からなる。
【００１８】
電池ユニット１００は、各扁平型蓄電池１ａ〜１ｄの集合体である組電池１を有する。扁平型蓄電池１ａ〜１ｄの積層数量は、単電池の電圧によって異なるが、自動車電源のレベルまで上げるために４ないし５個が直列に接続される。
【００１９】
この組電池１を構成する扁平型蓄電池１ａ〜１ｄの両端電圧は、５個の電圧検出端子２ａ、２ｂ、２ｃ、２ｄ、２ｅによって外部に取出し可能となっている。電池ユニット１００は、組電池１のプラス電極を取出す総プラス端子３を有し、マイナス電極はグランド端子４（ＧＮＤ端子）として図示しない金属ケースに接地されている。
【００２０】
端子２ａ〜２ｅは、後述する金属バーから成る導電部６ａ２、６ａ１、６ｃ２、６ｃ１、６ｄ１を延長して形成しても良いし、別の金属バーを接合しても良い。あるいは、導電部６ａ１〜６ｄ１に接続された電線で端子２ａ〜２ｅを形成しても良い。
【００２１】
組電池１は、コントロールユニット（制御部）１０６とともに後述する金属のケース内に収納されて電池ユニット１００を形成している。
【００２２】
図２および図３において、最上部の扁平型蓄電池１ｄは、中央部に膨出した電池本体３０１を有している。この扁平型蓄電池１ｄの表面は、樹脂で覆われたラミネート構造である。扁平型蓄電池１ｄは、プラス電極１ｄ１とマイナス電極１ｄ２とを備えている。扁平型蓄電池１ｄの真下には、図２および図４のように、扁平型蓄電池１ｃが位置しており、扁平型蓄電池１ｃは、プラス電極１ｃ１とマイナス電極１ｃ２とを備えている。１ｂ１は、扁平型蓄電池１ｂのプラス電極であり、１ａ２は、扁平型蓄電池１ａのマイナス電極である。
【００２３】
図６において、最下段の合成樹脂の支持部材（樹脂プレート）７１は、最下段の扁平型蓄電池１ａを受ける枠として構成されている。支持部材７１には、電圧検出用バスバー３２１、３２２がインサート成形されている。電圧検出用バスバー３２１、３２２の一端には、上述のプラス電極およびマイナス電極に接続される導電部６ａ１、６ｂ２、６ａ２が、支持部材７１で保持されている。
【００２４】
図７の支持部材７２は、導電部６ｂ１、６ｃ２を保持し、かつ外部から絶縁している。図８の支持部材７３は、導電部６ｃ１、６ｄ２を保持し、かつ外部から絶縁している。図９の支持部材７４は、導電部６ｄ１を、保持し、かつ外部から絶縁している。支持部材７１〜７４は、扁平型蓄電池（電池セル）と共に積層された後に、図１０に示したボルト３３１等の締結手段によって、互いに結合されて、組電池１が完成している。
【００２５】
図１０から判明するように、組電池１は、複数の電池セルと、この電池セルに付属するプラス電極１ｃ１等およびマイナス電極１ｃ２等と、これらの各電極に接続された導体部と、電池セルを包囲し支持する複数の支持部材７１〜７４とから成る。このように外に出た各電極および導体部を除いて電池セルの集合体は、支持部材７１〜７４の集合体内に保持されている。
【００２６】
従って、電池セル内部の故障により有害なガスが発生したときは、支持部材７１〜７４相互の隙間等から組電池１の外部にガスが出ることになる。これを阻止し、ガスを組電池１の内部に閉じ込めようとすると、シール構造等が複雑になる。組電池１を内部に収容する図２の金属製のケース３０３によって、ガスは、ケース３０３内にとどまり、更に、排煙用ダクト３０７を介して安全な外部にガスが放出される。
【００２７】
図２において、図１の鉛蓄電池１０２からの配線は、鉛蓄電池接続用ターミナル３００に接続される。グランド端子４（図１）を成す端子部材３０２は、ヒューズ３０２ｆを介してアルミニウムのケース３０３に接続されている。
【００２８】
ケース３０３は、内部に４つの扁平型蓄電池（電池セル）からなる組電池１を収容する閉空間を構成している。また、ケース３０３は、取付け用ブラケット３０３ａ、３０３ｂ、３０３ｃ、３０３ｄ等を一体に有している。正極を成す端子部材３０４は、総プラス端子３（図１）に接続され、更に、コントロールユニット１０６を成す図示しないＥＣＵ基盤（プリント基板）に接続されている。
【００２９】
図２の合成樹脂からなる仕切り壁３０５および３０６には、図１のコントロールユニット（制御部とも言う）１０６に接続される第１端子部材３０５ａおよび第２端子部材３０６ａが、一体成形されている。これらの仕切り壁３０５および３０６によって、組電池１を収容する部屋と外部とが区画されている。排煙用ダクト３０７を成す中空のパイプ部は、外部と組電池１を収容する部屋内とを連通している。
【００３０】
排煙用ダクト３０７は、扁平型蓄電池１ａ〜１ｄから発生する有害ガスを外部に放出するものであり、車両側からの図示しない排煙用ホースに接続される。排煙用ダクト３０７を成す中空のパイプ部は、金属のケース３０３に一体に成形され、外部とケース３０３の内部とを連通する。
【００３１】
仕切り壁３０５および３０６と一体形成された第１端子部材３０５ａおよび第２端子部材３０６ａは、扁平型蓄電池１ａ〜１ｄからの端子と接続され、扁平型蓄電池１ａ〜１ｄからなる組電池１側とコントロールユニット１０６側等とを中継する。
【００３２】
コントロールユニット１０６側のＭＯＳＦＥＴ（電気部品）３０８の取付け位置を、図２において仮想的に示している。図２では、４個のＭＯＳＦＥＴ３０８が、ヒートシンク３０９の上方に位置することを仮想的に示している。
【００３３】
排煙用ダクト３０７を成す中空のパイプ部は、ヒートシンク３０９内を貫通して形成されている。制御部を成すコントロールユニット１０６には、ＭＯＳＦＥＴ３０８以外にも多数の電気部品が実装されているが、図２では省略している。ＭＯＳＦＥＴ３０８は、組電池１の電流が流れる電源切替スイッチとして機能して発熱する。
【００３４】
コントロールユニット１０６は、ケース３０３内に収納され、組電池１への蓄電と組電池１からの放電とを制御する制御部を構成している。そして、ケース３０３と一体に形成されたヒートシンク３０９は、制御部１０６から出た熱を外部に放出する。排煙用ダクト３０７のパイプ部は、ヒートシンク３０９と一体に形成されて外部に突出している。
【００３５】
４個のＭＯＳＦＥＴ３０８は、制御部１０６の電気部品を構成している。このＭＯＳＦＥＴ３０８が、ヒートシンク３０９に接しているとともに、他の電気部品と共にコネクタ３１０に接続されている。そして、ヒートシンク３０９とコネクタ３１０とが、ケース３０３の同じ側面に並置されている。ヒートシンク３０９は、ケース３０３の裏側に突出して形成された放熱フィン３０９ａを有し、排煙用ダクト３０７は、山状に突出した放熱フィン３０９ａ相互間の山部に形成されている。
【００３６】
全体として箱型のケース３０３には、図示しないカバーが被せられ密閉空間を形成する。この密閉空間内には、組電池１が収容される第１の部屋３０３１と、第１の部屋３０３１に対してガスが流れにくいシール状態で、制御部１０６およびヒートシンク３０９が収容される第２の部屋３０３２とを備えている。
【００３７】
第２の部屋３０３２は、第１の部屋３０３１と分離され、排煙用ダクト３０７は、第１の部屋３０３１の内部から第２の部屋３０３２を貫いて、ケース３０３の外部と第１の部屋３０３１の内部とを連通している。
【００３８】
第２の部屋３０３２は、ヒートシンク３０９の両側に第１スペース５０１と第２スペース５０２とを備えている。第１スペース５０１に、組電池１に接続された第１端子部材３０５ａを有している。第２スペース５０２に、組電池１に接続された第２端子部材３０６ａを有している。
【００３９】
電池セルの一部を成す扁平型蓄電池１ｄ、１ｃは、両端部（図３から図５の上下方向両端）にプラス電極１ｄ１、１ｃ１とマイナス電極１ｄ２、１ｃ２とを有している。これらの各電極１ｄ１〜１ｃ２は、剛性が小さい薄片状の導体である。
【００４０】
これらの各電極１ｄ１〜１ｃ２は、扁平型蓄電池１ｄ、１ｃの中心軸から、図３ないし図５の左右方向に偏って配置されている。例えば、図３では左側に偏って各電極１ｄ１、１ｄ２が配置され、図４では、右側に偏って各電極１ｃ１、１ｃ２が配置されている。
【００４１】
よって、図５のように、積層方向に隣接する扁平型蓄電池１ｄ、１ｃ同士を積層した状態では、積層方向に隣接する扁平型蓄電池１ｄ、１ｃ同士のプラス電極１ｄ１、１ｃ１とマイナス電極１ｄ２、１ｃ２とは、図５の左右に離れて配置される。そして、プラス電極１ｄ１、１ｃ１とマイナス電極１ｄ２、１ｃ２とが、金属ターミナルからなる図示しないプラス側の導電部とマイナス側の導電部に電気的接続部にて接続される。
【００４２】
電気的接続は、超音波溶接で行われ、扁平型蓄電池１ｄ、１ｃ同士のプラス電極１ｄ１、１ｃ１とマイナス電極１ｄ２、１ｃ２とが、図５の左右に離れて配置されていることにより、各電極の上下に、溶接用工具が挿入し易くなっている。
【００４３】
この一実施形態においては、図６ないし図９の支持部材７１〜７４（樹脂枠とも言う）で扁平型蓄電池１ａ〜１ｄを支えている。各支持部材７１〜７４は、４つのカラー部３１１、３１２、３１３、３１４を外側に突出して形成している。
【００４４】
これらのカラー部３１１〜３１４には、ボルト等の締結具３３１（図１０）が挿入されて締めつけられる。カラー部３１１〜３１４は、各支持部材７１〜７４と一体の樹脂材料が膨出した突起部の孔内に、金属製のカラーを有している。この金属製のカラー同士が互いに接触して、支持部材７１〜７４積層後の締め付け力を受けとめている。
【００４５】
合成樹脂の枠からなる支持部材７１〜７４の個数は、この実施形態では４個である。最上部には合成樹脂ではなく金属製の図示しないカバーが被せられる。このカバーの内側には図示しないバネが配置され、４つの扁平型蓄電池は、組み付け後において、上記バネの弾性力により互いに圧接される。図６の突起（ピン）４０１は、図７の凹部（ピン穴）４０２に嵌合され、支持部材７１〜７４相互間を位置決めしている。
【００４６】
次に、更に詳しくケース３０３の構成について、図１０から図１５を用いて説明する。図１０のように、組電池１は、複数の電池セル（扁平型蓄電池）と、この電池セルに付属するプラス電極およびマイナス電極と、これらの各電極に接続された導体部と、電池セルを包囲し支持する複数の支持部材７１〜７４とから成る。このように外に出た各電極を除いて、電池セルの集合体は、支持部材７１〜７４の集合体内に保持されている。
【００４７】
従って、電池セル内部の故障により有害なガスが電池セルから発生したときは、支持部材７１〜７４相互の僅かな隙間等から組電池１の外部にガスが出ることになる。しかし、組電池１を内部に収容する後述する金属製のケース３０３によって、ガスはケース３０３内にとどまり、更に、後述する排煙用ダクト３０７を介して安全な外部にガスが放出される。
【００４８】
図２の排煙用ダクト３０７を成す中空のパイプ部は、外部と扁平型蓄電池１ａ〜１ｄを収容する第１の部屋３０３１内とを連通している。排煙用ダクト３０７は、金属のケース３０３に一体に成形されたパイプ部を持ち、外部とケース３０３の内部とを連通する。
【００４９】
なお、金属のケース３０３に一体に成形型でパイプ部を成形しても良いし、金属のケース３０３に一体に成形型でパイプ部を成形し、パイプ部内を切削して中空としても良い。この場合、ヒートシンク３０９とパイプ部が一体であるから、切削時にパイプ部周辺のケース３０３が変形することが実質無く、切削が容易である。
【００５０】
コントロールユニット１０６は、ケース３０３内に収納され、組電池１への蓄電と組電池１からの放電とを制御する制御部を構成している。そして、ケース３０３と一体に形成されたヒートシンク３０９は、制御部１０６から出た熱を外部に放出する。排煙用ダクト３０７のパイプ部は、ヒートシンク３０９と一体に形成されて外部に突出している。
【００５１】
４個のＭＯＳＦＥＴ３０８は、制御部１０６の電気部品の一部を構成している。このＭＯＳＦＥＴ３０８がヒートシンク３０９に接しているとともに、ＭＯＳＦＥＴ３０８がコネクタ３１０に接続されている。そして、ヒートシンク３０９とコネクタ３１０とが、ケース３０３の同じ側面に並置されている。
【００５２】
図１１において、全体として箱型のケース３０３内には、組電池１が収容される第１の部屋３０３１と、第１の部屋３０３１に対してガスが流れにくいシール状態で、制御部１０６およびヒートシンク３０９が収容される第２の部屋３０３２とを備えている。
【００５３】
第２の部屋３０３２は、第１の部屋３０３１と分離され、排煙用ダクト３０７は、第１の部屋３０３１の内部から、第２の部屋３０３２を貫いて、ケース３０３の外部と第１の部屋３０３１の内部とを連通している。
【００５４】
第２の部屋３０３２は、ヒートシンク３０９の側方に位置している。そして、ヒートシンク３０９の両側に第１スペース５０１と第２スペース５０２とを形成している。第１スペース５０１に、組電池１と外部とを接続する図２の第１端子部材３０５ａを有している。第２スペース５０２に、組電池１と外部とを接続する第２端子部材３０６ａを有している。
【００５５】
電池セル内部の故障により有害なガスが発生したときは、図１０の支持部材７１〜７４相互の隙間等から組電池１の外部にガスが出ることになる。しかし、組電池１を内部に収容する金属製のケース３０３によって、ガスは、ケース３０３内にとどまり、更に、排煙用ダクト３０７を介して安全な外部にガスが放出される。
【００５６】
図１１において、排煙用ダクト３０７を成す中空のパイプ部は、外部と扁平型蓄電池を収容する第１の部屋３０３１内とを連通している。ケース３０３と一体にヒートシンク３０９および排煙用ダクト３０７の中空のパイプ部が形成されている。
【００５７】
第１の部屋３０３１と第２の部屋３０３２とは、図１１では図示されない仕切り壁によって最終的に仕切られる。よって、第２の部屋３０３２は、第１の部屋３０３１に対してガスが流れにくいシール状態にされる。後述する上記仕切り壁は、仕切り壁挿入用の溝部５０６、５０７、５０８、５０９内に挿入される。
【００５８】
図１２は、図１１の矢印XII方向から見た排煙用ダクトのガス排出孔３０７ａの形状を示すケース内壁の側面図である。図１１において、排煙用ダクト３０７は、第１の部屋３０３１の内部から第２の部屋３０３２を貫いて、ケース３０３の外部と第１の部屋３０３１の内壁（後述する固定仕切り壁４００）のガス排出孔３０７ａ（図１２）とを連通している。
【００５９】
図１３は、図１１の矢印XIII方向から見たケースの側面を図示している。図１３において、排煙用ダクト３０７のパイプ部は、ヒートシンク３０９と一体に形成されて外部に突出している。ヒートシンク３０９は、ケース３０３の外側に突出して形成された放熱フィン３０９ａを複数有し、排煙用ダクト３０７は、山状に突出した放熱フィン３０９ａに形成されている。
【００６０】
図１４は、ケース３０３の裏面図である。ヒートシンク３０９の裏面は、ケース３０３の底部３０３３の内側に窪ませて形成された放熱フィン３０９ａを有している。排煙用ダクト３０７は、山状に突出した放熱フィン３０９ａの山部に沿って延在している。
【００６１】
図１５は、図１１のケース内の溝部５０６〜５０９に、複数の仕切り壁３０５、３０６を挿入した状態を示す斜視図である。第１の部屋３０３１と第２の部屋３０３２とは、仕切り壁３０５、３０６および固定仕切り壁４００によって仕切られ、第２の部屋３０３２は、第１の部屋３０３１に対してガスが流れにくいシール状態にされる。
【００６２】
図１６は、仕切り壁３０５と一体形成された第１端子部材３０５ａの斜視図である。合成樹脂からなる仕切り壁３０５には、第１端子部材３０５ａがインサート成形されて一体の部品として形成されている。従って、仕切り壁３０５は、第１の部屋３０３１と第２の部屋３０３２とを仕切るだけでなく、第１端子部材３０５ａを保持し外部から絶縁している。仕切り壁３０５には、溝部５０６、５０７（図１１）に挿入しやすいように傾斜部３０５ｂが形成されている。リング状の金具３０５ｃは、仕切り壁３０５にインサート成形されている。仕切り壁３０５を溝部５０６、５０７に挿入した後で、リング状の金具３０５ｃ内にボルトを挿入しケース３０３に確実に仕切り壁３０５を取り付けている。
【００６３】
図１７は、仕切り壁３０６（図１５）と一体形成された総プラス端子３および第２端子部材３０６ａの斜視図である。合成樹脂からなる仕切り壁３０６には、総プラス端子３および第２端子部材３０６ａがインサート成形されて一個の部品を形成している。従って、仕切り壁３０６は、第１の部屋３０３１と第２の部屋３０３２とを仕切るだけでなく、総プラス端子３および第２端子部材３０６ａを保持し外部から絶縁している。仕切り壁３０６には、図１１の溝部５０８、５０９に打ち込まれるように傾斜部３０６ｂが形成されている。また、ボルト締め用のリング状の金具３０６ｃが、仕切り壁３０５にインサート成形されている。
【００６４】
図１５のように、第２の部屋３０３２は、ヒートシンク３０９の両側に第１スペース５０１と第２スペース５０２とを備える。第１スペース５０１に、組電池１と制御部１０６とを接続する第１端子部材３０５ａを有し、第２スペース５０２に組電池と制御部１０６とを接続する第２端子部材３０６ａを有する。
【００６５】
第１端子部材３０５ａは、例えば、２つの電圧検出端子と水没センサ用の端子を備える。第２端子部材３０６ａは、例えば、上記２つの電圧検出端子とは別の３つの電圧検出端子と太い金属ターミナルから成る総プラス端子３（図１、図１７）を有する。
【００６６】
仕切り壁３０５および３０６と一体形成された端子部材３０５ａおよび３０６ａは、扁平型蓄電池１ａ〜１ｄからの正極側端子および負極側端子と接続され、扁平型蓄電池１ａ〜１ｄからなる組電池１とコントロールユニット１０６等とを中継する接続部を形成している。
【００６７】
（一実施形態の作用）
ケース３０３には、組電池１への蓄電と組電池１からの放電とを制御する制御部１０６が収容されている。かつ制御部１０６から出た熱を外部に放出するヒートシンク３０９がケース３０３と一体に形成されている。排煙用ダクト３０７のパイプ部は、ヒートシンク３０９と一体に形成されて外部に突出している。
【００６８】
これによれば、排煙用ダクト３０７のパイプ部は、重量および厚さの大きなヒートシンク３０９と一体に形成されているから、外部に突出するパイプ部に曲げ応力等が作用しても、ケース３０３等が変形することがなくなり、強固な電池ユニット１００を形成できる。
【００６９】
制御部１０６のＭＯＳＦＥＴ３０８が、ヒートシンク３０９に接していると共に、ＭＯＳＦＥＴ３０８がコネクタ３１０に接続されている。ヒートシンク３０９とコネクタ３１０とが、ケース３０３の同じ側面に並置されている。また、排煙用ダクト３０７は、ヒートシンク３０９と一体に形成されている。これによれば、外部から結線しやすい位置にあるコネクタ３１０と排煙用ダクト３０７とをケース３０３の同じ面に並置することで、排煙用ダクト３０７から外部に排煙ホース等でガスを排出しやすい。
【００７０】
ケース３０３内に、組電池１が収容される第１の部屋３０３１と、第１の部屋３０３１に対してガスが流れにくいシール状態の第２の部屋３０３２とを備えている。制御部１０６およびヒートシンク３０９が収容された第２の部屋３０３２は、第１の部屋３０３１と分離されている。排煙用ダクト３０７は、第１の部屋３０３１の内部から第２の部屋３０３２を貫いてケース３０３の外部と第１の部屋３０３１の内部とを連通している。
【００７１】
これによれば、排煙用ダクト３０７のパイプ部は、ヒートシンク３０９と一体に形成されて外部に突出しているのみならず、排煙用ダクト３０７は、第１の部屋３０３１の内部から第２の部屋３０３２のヒートシンク３０９を貫いて、ケース３０３の外部と第１の部屋３０３１の内部とを連通しているから、第１の部屋３０３１に充満したガスが、第２の部屋３０３２に充満することが無く、ヒートシンク３０９内を貫通して排出される。従って、有害なガスに制御部１０６が晒されることが無い。
【００７２】
また、第１の部屋３０３１と第２の部屋３０３２とは、絶縁性の仕切り壁３０５、３０６で分離され、該仕切り壁３０５、３０６にインサート成形され、かつ仕切り壁３０５、３０６を貫通する複数の端子部材３０５ａ、３０６ａを有し、該端子部材３０５ａ、３０６ａを介して第１の部屋３０３１と第２の部屋３０３２とをガスが流れにくいシール状態のままで電気的に導通している。
【００７３】
これによれば、第２の部屋３０３２を、第１の部屋３０３１に対して、ガスが流れにくいシール状態に保つために、仕切り壁３０５、３０６を設けたから、任意の形状で部屋を確実に仕切り、ガスによる影響を排除することができる。かつ仕切り壁３０５、３０６を利用して端子部材３０６ａ、３０６ａを配置し固定することができる。また、この端子部材３０６ａ、３０６ａを介して組電池１の電圧および電流を外部に取出すことができる。
【００７４】
（その他の実施形態）
本発明は上述した実施形態にのみ限定されるものではなく、次のような変形または拡張することができる。例えば、上記一実施形態において、支持部材（樹脂プレート）７１、７２、７３、７４相互間に、積み重ねで嵌め合うピンとピン穴のような凹凸嵌合部を設定したが、電池セルを成す扁平型蓄電池１ａ〜１ｄに位置決め孔を設定し、凹凸嵌合部が、上記位置決め孔を通して互いに嵌合することで、扁平型蓄電池１ａ〜１ｄおよび支持部材７１〜７４を積上げて組み付ける時の、組付性の向上を図っても良い。
【００７５】
また、排煙用ダクトのパイプ内径部は断面円形でなくてもよく、多角形でも良い。組電池１は複数の支持部材で囲ったが、組電池１を囲む箱状の１つないし２つの支持部材で囲っても良い。
【００７６】
仕切り壁３０５、３０６は、複数設けたが単一の仕切り壁によって、第２の部屋３０３２を、第１の部屋３０３１に対して、ガスが流れにくいシール状態に保ち、有害なガスが第２の部屋３０３２に侵入しないようにしても良い。
【００７７】
更に、最下段の支持部材７１に、積層された扁平型蓄電池１ａ〜１ｄから成る組電池１全体の質量を受ける面を設定し、積層された扁平型蓄電池１ａ〜１ｄから成る組電池１の持ち運びおよび作業性の向上を図ってもよい。これによれば、ケース３０３内に組電池１が組み込まれる前の、組電池１単体での取り扱いが容易になる。
【００７８】
なお、本発明で言うシール状態とは、完全な気密状態でなくても良い。また、仕切り壁自体はボルトでケースに固定されるので、仕切り壁を溝部に挿入しなくても、ケースの側面部に当接するだけでも良い。
【符号の説明】
【００７９】
１  組電池
３０３  ケース
３０７  排煙用ダクト
１０６  制御部（コントロールユニット）
３０９  ヒートシンク
３０８  電気部品（ＭＯＳＦＥＴ）
３１０  コネクタ
３０９ａ  放熱フィン
３０３１  第１の部屋
３０３２  第２の部屋
【図１】
0005942578.tif 000002
【図２】
0005942578.tif 000003
【図３】
0005942578.tif 000004
【図４】
0005942578.tif 000005
【図５】
0005942578.tif 000006
【図６】
0005942578.tif 000007
【図７】
0005942578.tif 000008
【図８】
0005942578.tif 000009
【図９】
0005942578.tif 000010
【図１０】
0005942578.tif 000011
【図１１】
0005942578.tif 000012
【図１２】
0005942578.tif 000013
【図１３】
0005942578.tif 000014
【図１４】
0005942578.tif 000015
【図１５】
0005942578.tif 000016
【図１６】
0005942578.tif 000017
【図１７】
0005942578.tif 000018